(57)【要約】【課題】キーの誤入力を低減させる手段を提供する。【解決手段】キーを表示し、前記キーの入力操作を受付ける表示操作部と、前記入力操作が、前記キーの表示領域に対応する入力受付領域で行われたことを検出する検出部とを有し、前記検出部は、前記入力受付領域を前記表示領域より狭い範囲として前記入力操作が行われたことを検出する。【選択図】        図１
2015219662.tif 000002
【特許請求の範囲】
【請求項１】
キーを表示し、前記キーの入力操作を受付ける表示操作部と、
前記入力操作が、前記キーの表示領域に対応する入力受付領域で行われたことを検出する検出部とを有し、
前記検出部は、前記入力受付領域を前記表示領域より狭い範囲として前記入力操作が行われたことを検出することを特徴とする入力装置。
【請求項２】
請求項１に記載の入力装置において、
前記検出部は、前記操作表示部が表示する複数の前記キーの位置に応じて範囲を変化させた前記入力受付領域で前記入力操作が行われたことを検出することを特徴とする入力装置。
【請求項３】
請求項１または請求項２に記載の入力装置において、
前記検出部は、前記操作表示部が表示する複数の前記キーが密集している状況に応じて前記入力受付領域を前記キーの表示領域より狭くし、前記入力受付領域で前記入力操作が行われたことを検出することを特徴とする入力装置。
【請求項４】
請求項１から請求項３のいずれかに記載の入力装置において、
前記入力操作が行われた位置の周辺の画面を拡大して前記操作表示部に表示する拡大表示部を有することを特徴とする入力装置。
【請求項５】
請求項４に記載の入力装置において、
前記拡大表示部は、前記検出部が前記入力受付領域以外の領域で前記入力操作が行われたことを検出したとき、前記入力操作が行われた位置の周辺の画面を拡大して前記操作表示部に表示することを特徴とする入力装置。
【請求項６】
請求項４に記載の入力装置において、
前記入力操作が前記入力受付領域で連続して行われたことを検出する連続入力検出部を有し、
前記拡大表示部は、前記連続入力検出部が前記入力受付領域で前記入力操作が連続して行われたことを検出したとき、前記入力操作が行われた位置の周辺の画面を拡大して前記操作表示部に表示することを特徴とする入力装置。
【請求項７】
請求項５または請求項６に記載の入力装置において、
前記検出部は、前記拡大表示部が拡大して表示した画面における前記キーの表示領域の対応する入力受付領域で前記入力操作が行われたことを検出することを特徴とする入力装置。
【請求項８】
請求項１から請求項７のいずれかに記載の入力装置を備えたことを特徴とする画像形成装置。
【発明の詳細な説明】
【技術分野】
【０００１】
本発明は、表示部に表示されたキーの入力操作を受付ける入力装置および画像形成装置に関する。
【背景技術】
【０００２】
従来の入力装置は、表示部に表示したキーの入力受付領域を、キーの表示領域と拡大領域とを合わせた範囲としてキーの表示領域からわずかに外れた位置をタッチした場合でも当該キーの入力操作として受付けるようにしている（例えば、特許文献１参照）。
【先行技術文献】
【特許文献】
【０００３】
【特許文献１】特開２００８−１２９８２３号公報
【発明の概要】
【発明が解決しようとする課題】
【０００４】
しかしながら、従来の技術においては、隣接するキーの近傍を押下した場合、所望のキーとは異なるキーの入力操作として受付けてしまうことがあるという問題がある。
本発明は、このような問題を解決することを課題とし、キーの誤入力を低減させることを目的とする。
【課題を解決するための手段】
【０００５】
そのため、本発明は、キーを表示し、前記キーの入力操作を受付ける表示操作部と、前記入力操作が、前記キーの表示領域に対応する入力受付領域で行われたことを検出する検出部とを有し、前記検出部は、前記入力受付領域を前記表示領域より狭い範囲として前記入力操作が行われたことを検出することを特徴とする。
【発明の効果】
【０００６】
このようにした本発明は、キーの誤入力を低減させることができるという効果が得られる。
【図面の簡単な説明】
【０００７】
【図１】第１の実施例における入力装置の構成を示すブロック図
【図２】第１の実施例における画像形成装置の外観斜視図
【図３】第１の実施例におけるパネル部を示す説明図
【図４】第１の実施例におけるパネル部の入力受付領域を示す説明図
【図５】第１の実施例におけるキーを拡大表示したパネル部を示す説明図
【図６】第１の実施例における入力操作受付処理の流れを示すフローチャート
【図７】第２の実施例における入力装置の構成を示すブロック図
【図８】第２の実施例における入力操作受付処理の流れを示すフローチャート
【発明を実施するための形態】
【０００８】
以下、図面を参照して本発明による入力装置および画像形成装置の実施例を説明する。
【実施例１】
【０００９】
図１は第１の実施例における入力装置の構成を示すブロック図である。
入力装置１０は、パネル部１００と、制御部１１とから構成されている。
表示操作部としてのパネル部１００は、キーを表示する表示部としてのディスプレイと、ディスプレイ上に配置された入力（操作）部としてのタッチパネルとにより構成され、ディスプレイに表示したキーに対応する位置のタッチパネルが操作者により触れられたこと（以下、「タッチ入力」という。）を検知し、操作者の入力操作を受付けるものである。
【００１０】
検出部としての制御部１１は、ＣＰＵ（Ｃｅｎｔｒａｌ  Ｐｒｏｃｅｓｓｉｎｇ  Ｕｎｉｔ）等の制御手段により構成され、タッチ位置検出部１２と、タッチ位置判定部１３と、拡大表示部１４とを備えている。
タッチ位置検出部１２は、パネル部１００で操作者によりタッチ入力された位置を検出するものであり、タッチ入力された位置を、例えばパネル部１００における座標として出力するものである。
【００１１】
タッチ位置判定部１３は、タッチ位置検出部１２で検出されたタッチ入力された位置がパネル部１００に表示したキーの表示領域に対応するキーの入力受付領域であるか否かを判定し、操作者のタッチ入力がキーを選択する操作か否かを判定するものである。
このタッチ位置判定部１３は、例えばパネル部１００に表示したキーの表示領域に対応させてそれぞれのキーの入力受付領域を表す座標情報を記憶部に予め記憶しておき、タッチ位置検出部１２で検出されたタッチ入力された位置の座標がいずれのキーの入力受付領域に属するか否かを判定する。
【００１２】
ここで、キーの入力受付領域とは、表示したキーの表示領域に対応し、操作者により触れられたことを検知すると当該キーが選択されたことを検知する領域である。
本実施例では、タッチ位置判定部１３は、パネル部１００が表示する複数のキーの位置に応じてキーの入力受付領域の大きさを変化させ、キーの入力受付領域を表す座標情報を当該キーの表示領域と同じ領域、または当該キーの表示領域より狭い領域として記憶部に記憶している。
【００１３】
拡大表示部１４は、タッチ位置検出部１２が検出したタッチ位置に基づき当該タッチ位置の周辺の画面を拡大した画像をパネル部１００に表示するものである。この拡大表示部１４は、タッチ位置判定部１３がキーの入力受付領域以外の領域でタッチ入力操作が行われたと判定（検出）したとき、タッチ入力操作が行われた位置の周辺の画面を拡大してパネル部１００に表示する。
【００１４】
このように構成された制御部１１は、記憶部に記憶された制御プログラム（ソフトウェア）に基づいて入力装置１０全体の動作を制御し、パネル部１００にキーを表示するとともに、パネル部１００における操作者によるタッチ入力操作が、キーの表示領域に対応する入力受付領域で行われるか否かを検出する。また、制御部１１は、拡大表示部１４が拡大して表示した画面におけるキーの表示領域の対応する入力受付領域で入力操作が行われたか否かを検出する。
さらに、制御部１１は、タイマ等の計時手段を備え、経過時間の計測ができるようになっている。
【００１５】
図２は第１の実施例における画像形成装置の外観斜視図である。
図２において、画像形成装置１は、例えば複写機やファクシミリ装置等であり、図１に示すパネル部１００および制御部１１の他に、画像の読み取りを行うスキャナ部２と、スキャナ部２により読取られた画像データや外部装置から送られたデータを印刷するプリンタ部３とから構成されている。スキャナ部２は、原稿の給紙や画像の読み取りを行う画像読取部と、読取り原稿を載置する原稿セット部と、画像読取部で画像が読取られた原稿が排出される原稿排出部とから構成されている。入力装置１０およびパネル部１００は、画像形成装置１の正面（前面）に備えられている。なお、本実施例では、画像形成装置１を複写機として説明する。
【００１６】
図３は第１の実施例におけるパネル部を示す説明図である。
図３において、パネル部１００は、操作者の入力操作を受付ける複数のキーを表示しており、例えばＰＲＩＮＴキー１１０と、ｅ−ＭＡＩＬキー１２０と、ＦＡＸキー１３０と、Ｈｅｌｐキー１４０と、Ｓｅｔｕｐキー１５０と、ＰｏｗｅｒＳａｖｅキー１６０と、ＳＴＯＰキー１７０と、Ｆｕｎｃｔｉｏｎキー１８０とを表示しているものとする。なお、キーを表示している領域（例えば、ＰＲＩＮＴキー１１０等を表示している領域）をキーの表示領域という。
【００１７】
図４は第１の実施例におけるパネル部の入力受付領域を示す説明図である。
図４において、パネル部１００が表示する複数のキーが密集している場合、例えば隣接するキーの間隔が狭く、近接している場合やパネル部１００の所定面積当たりのキーの数が多い場合、図１に示す制御部１１のタッチ位置判定部１３は、キーの入力受付領域をキーの表示領域より小さくなるように補正し、キーの入力受付領域をキーの表示領域より狭い範囲としている。
【００１８】
すなわち、タッチ位置判定部１３は、パネル部１００が表示する複数のキーの位置に応じてキーの入力受付領域の範囲を変化させるようにしている。例えば、パネル部１００が表示する複数のキーが密集している状況に応じて、隣接するキーが近接している程、またはパネル部１００の所定面積当たりのキーの数が多い程、キーの表示領域に対するキーの入力受付領域を狭くするようにしている。
【００１９】
図３および図４に示すように、複数のキーが密集し、隣接するキーが近接しているＰＲＩＮＴキー１１０の入力受付領域１１１、ｅ−ＭＡＩＬキー１２０の入力受付領域１２１、ＦＡＸキー１３０の入力受付領域１３１、Ｈｅｌｐキー１４０の入力受付領域１４１、Ｓｅｔｕｐキー１５０の入力受付領域１５１、およびＰｏｗｅｒＳａｖｅキー１６０の入力受付領域１６１は、それぞれのキーの表示領域より狭く（小さく）なるように補正して設定されている。このように、入力受付領域を表示領域より狭くなるように補正するのは、操作者による誤タッチ入力が多く発生する可能性があると考えられるためである。
【００２０】
例えば、ｅ−ＭＡＩＬキー１２０の入力受付領域１２１は、隣接するＰＲＩＮＴキー１１０、Ｈｅｌｐキー１４０、Ｓｅｔｕｐキー１５０、ＰｏｗｅｒＳａｖｅキー１６０、およびＦＡＸキー１３０と対向する領域がｅ−ＭＡＩＬキー１２０の表示領域よりも狭くなるように補正され、また隣接するキーが存在しない領域（図中左側の領域）はｅ−ＭＡＩＬキー１２０の表示領域と同じとし、補正は行われない。
ＦＡＸキー１３０の入力受付領域１３１は、隣接するｅ−ＭＡＩＬキー１２０、Ｓｅｔｕｐキー１５０、およびＰｏｗｅｒＳａｖｅキー１６０と対向する領域がＦＡＸキー１３０の表示領域よりも狭くなるように補正され、また隣接するキーが存在しない領域（図中左側および下側の領域）はＦＡＸキー１３０の表示領域と同じとし、補正は行われない。
【００２１】
また、パネル部１００の所定面積当たりのキーの数が少なく、複数のキーが密集していないＳＴＯＰキー１７０の入力受付領域１７１、およびＦｕｎｃｔｉｏｎキー１８０の入力受付領域１８１は、補正を行わずキーの表示領域と同じ大きさの領域となるように設定されている。これは、パネル部１００の所定面積当たりのキーの数が少なく、操作者による誤タッチ入力が少ないと考えられるためである。
【００２２】
さらに、非入力受付領域２０１は、操作者により触れられてもキーが選択されたことを検知しない領域であり、例えば入力受付領域１２１、１３１、１５１、１６１により囲まれた領域であり、いずれの入力受付領域でもない領域である。
本実施例では、非入力受付領域２０１に示されるような、それぞれのキーの表示領域の外側やキーの表示領域の端部（隣接するキーに近い領域）が操作者によりタッチ入力された場合、図１に示す制御部１１は、タッチ入力された位置の周辺の画面領域を拡大してパネル部１００に表示し、操作者の再入力操作を受付ける。
【００２３】
図５は第１の実施例におけるキーを拡大表示したパネル部を示す説明図である。
図５において、拡大表示領域１０２は、拡大表示されたキーとしてＰＲＩＮＴキー１１２、ｅ−ＭＡＩＬキー１２２、ＦＡＸキー１３２、Ｈｅｌｐキー１４２、Ｓｅｔｕｐキー１５２、およびＰｏｗｅｒＳａｖｅキー１６２を表示する領域である。
また、拡大表示領域１０２の近傍の側方には、拡大表示領域１０２を消去するためのＲｅｔｕｒｎキー１９２が表示される。
【００２４】
上述した構成の作用について説明する。
入力装置が行う入力操作受付処理を図６の第１の実施例における入力操作受付処理の流れを示すフローチャートの図中Ｓで表すステップに従って図１を参照しながら説明する。
まず、入力装置１０のパネル部１００は、操作者による入力操作を受付けるものとする。
Ｓ１０１：入力装置１０の制御部１１は、パネル部１００で操作者によるタッチ入力操作の有無、すなわち入力操作が行われたか否かを判定し、タッチ入力操作が有ると判定すると処理をＳ１０２へ移行し、タッチ入力操作が無いと判定するとタッチ入力操作が有るまで待機する。
【００２５】
Ｓ１０２：制御部１１のタッチ位置検出部１２は、パネル部１００でタッチ入力された位置（例えば、パネル部１００における座標）を検出する。
Ｓ１０３：タッチ位置検出部１２がタッチ入力された位置を検出すると、制御部１１のタッチ位置判定部１３は、タッチ入力された位置がパネル部１００に表示したいずれかのキーの入力受付領域（例えば、図４に示す入力受付領域１１１〜１６１）であるか否かを判定し、キーの入力受付領域であると判定すると処理をＳ１０４へ移行し、キーの入力受付領域でないと判定すると処理をＳ１０５へ移行する。
【００２６】
Ｓ１０４：タッチ位置判定部１３がキーの入力受付領域であると判定すると、制御部１１は、キーの入力受付領域に対応するキー入力として受付け、画像形成装置の主制御部等に当該キーの入力操作が行われた旨を通知し、処理をＳ１０１へ移行して次のタッチ入力を待機する。
Ｓ１０５：一方、Ｓ１０３において、タッチ位置判定部１３がキーの入力受付領域でないと判定すると、制御部１１の拡大表示部１４は、タッチ位置検出部１２が検出したタッチ位置に基づき当該タッチ位置の周辺の画面を拡大した画像（例えば、図５に示す拡大表示領域１０２）をパネル部１００に表示する。
【００２７】
Ｓ１０６：制御部１１は、拡大した画像を表示したパネル部１００で操作者によるタッチ入力操作の有無、すなわち入力操作が行われたか否かを判定し、タッチ入力操作が有ると判定すると処理をＳ１０８へ移行し、タッチ入力操作が無いと判定すると処理をＳ１０７へ移行する。
Ｓ１０７：タッチ入力操作が無いと判定した制御部１１は、拡大表示部１４がパネル部１００に拡大した画像を表示してからの経過時間が所定の時間を経過（タイムアウト）したか否かを判定し、所定の時間を経過したと判定すると元の画面表示に戻るためＳ１１１へ移行し、所定の時間を経過していないと判定するとタッチ入力操作を待機するため処理をＳ１０６へ移行する。
【００２８】
Ｓ１０８：制御部１１が、タッチ入力操作が有ると判定すると、タッチ位置検出部１２は、パネル部１００でタッチ入力された位置を検出する。
Ｓ１０９：タッチ位置検出部１２がタッチ入力された位置を検出すると、制御部１１のタッチ位置判定部１３は、タッチ入力された位置がパネル部１００に拡大して表示したいずれかのキーの入力受付領域であるか否かを判定し、キーの入力受付領域であると判定すると処理をＳ１１０へ移行し、キーの入力受付領域でないと判定すると処理をＳ１１１へ移行する。
【００２９】
Ｓ１１０：タッチ位置判定部１３が拡大して表示したキーの入力受付領域であると判定すると、制御部１１は、キーの入力受付領域に対応するキー入力として受付け、画像形成装置の主制御部等に当該キーの入力操作が行われた旨を通知する。
Ｓ１１１：制御部１１は、パネル部１００に拡大して表示した画面を消去し、元の画面表示に戻して処理をＳ１０１へ移行し、タッチ入力操作を待機する。
【００３０】
このように、本実施例では、操作者の選択入力を受付ける複数のキーが密集している場合、例えば隣接するキーと近接している場合、制御部１１は、キーの入力受付領域をキーの表示領域より小さくなるように補正してパネル部１００に表示し、キーの入力受付領域以外の領域がタッチ入力された場合、タッチ入力された位置の周辺の画面を拡大して表示するようにしたことにより、選択する所望のキーの表示領域の外側や、隣接するキーに近い領域であるキーの表示領域の端部がタッチ入力された場合、タッチ入力された位置の周辺部の拡大表示されたキーで再タッチ入力することができるようになり、キーの誤入力を低減させることができる。
【００３１】
従来、入力装置は、機能を多数のメニューとして表示するとともに、そのメニューを選択するために当該メニューに対応したキーをタッチするようにしているが、比較的小さなパネル部を装置に備えている場合、多数のメニューを一括して視覚的に確認し易くするため、ひとつの画面に多数のメニューを表示すると、選択する所望のキーにタッチすることが難しくなり、入力操作を繰り返して行う必要が生じ円滑な入力操作が行えないという問題があった。
このようなことを防止するため、例えば画面の一部を拡大する専用の拡大キー等を備えることが考えられるが、拡大キーを用いると入力操作が煩雑になり、また拡大キーを追加することにより、益々それぞれのキーを小さくしなければならないという問題も発生してしまう。
【００３２】
そこで、制御部１１は、キーの入力受付領域をキーの表示領域より小さくなるように補正してパネル部１００に表示し、キーの入力受付領域以外の領域がタッチ入力された場合、タッチ入力された位置の周辺の画面を拡大して表示し、拡大表示されたキーで再タッチ入力を受付けるようにしたことにより、キーの誤入力を低減させることができ、操作性を向上させることができる。
また、選択する所望のキーの表示領域の中央部がタッチ入力された場合、当該キーの選択操作が受付けられるため、従来の操作性は損なわれない。
【００３３】
以上説明したように、第１の実施例では、操作者の選択入力を受付ける複数のキーが密集している場合、キーの入力受付領域をキーの表示領域より小さくなるように補正してパネル部に表示し、キーの入力受付領域以外の領域がタッチ入力された場合、タッチ入力された位置の周辺の画面を拡大して表示するようにしたことにより、選択する所望のキーの表示領域の外側や、隣接するキーに近い領域であるキーの表示領域の端部がタッチ入力された場合、タッチ入力された位置の周辺部の拡大表示されたキーで再タッチ入力することができるようになり、キーの誤入力を低減させることができるという効果が得られる。
【実施例２】
【００３４】
第２の実施例の構成は、第１の実施例の構成に操作者による連続したタッチ入力を検出する連続入力検出部を追加したものとしている。
その第２の実施例の構成を図７の第２の実施例における入力装置の構成を示すブロック図に基づいて説明する。なお、上述した第１の実施例と同様の部分は、同一の符号を付してその説明を省略する。
図７において、入力装置１０は、パネル部１００と、制御部１１とから構成されている。
【００３５】
制御部１１は、ＣＰＵ等の制御手段により構成され、タッチ位置検出部１２と、タッチ位置判定部１３と、拡大表示部１４と、連続入力検出部１５とを備えている。
連続入力検出部１５は、所定の時間内に複数回のタッチ入力があったこと、すなわちタッチ入力が連続して行われたことを検出するものである。本実施例では、同一のキーを連続してタッチ入力されたことを連続入力検出部１５が検出した場合、拡大表示部１４により、タッチ位置検出部１２が検出したタッチ位置に基づき当該タッチ位置の周辺の画面を拡大した画像をパネル部１００に表示する。
【００３６】
上述した構成の作用について説明する。
入力装置が行う入力操作受付処理を図８の第２の実施例における入力操作受付処理の流れを示すフローチャートの図中Ｓで表すステップに従って図７を参照しながら説明する。
まず、入力装置１０のパネル部１００は、操作者による入力操作を受付けるものとする。
Ｓ２０１、Ｓ２０２：図６におけるＳ１０１、Ｓ１０２と同様の処理なのでその説明を省略する。
【００３７】
Ｓ２０３：タッチ位置検出部１２がタッチ入力された位置を検出すると、制御部１１のタッチ位置判定部１３は、タッチ入力された位置がパネル部１００に表示したいずれかのキーの入力受付領域（例えば、図４に示す入力受付領域１１１〜１６１）であるか否かを判定し、キーの入力受付領域であると判定すると処理をＳ２０４へ移行し、キーの入力受付領域でないと判定すると処理をＳ２０６へ移行する。
【００３８】
Ｓ２０４：タッチ位置判定部１３がキーの入力受付領域であると判定すると、連続入力検出部１５は、所定時間（例えば、０．５秒または１秒等）内に連続したタッチ入力、すなわち前回のタッチ入力からの経過時間が所定時間内である連続したタッチ入力か否かを判定し、連続したタッチ入力であると判定すると処理をＳ２０６へ移行し、連続したタッチ入力でないと判定すると処理をＳ２０５へ移行する。
【００３９】
Ｓ２０５：連続入力検出部１５が連続したタッチ入力でないと判定すると、制御部１１は、キーの入力受付領域に対応するキー入力として受付け、画像形成装置の主制御部等に当該キーの入力操作が行われた旨を通知し、処理をＳ２０１へ移行して次のタッチ入力を待機する。
Ｓ２０６：Ｓ２０３において、タッチ位置判定部１３がキーの入力領域でないと判定、またはＳ２０４において、連続入力検出部１５が連続したタッチ入力であると判定すると、制御部１１の拡大表示部１４は、タッチ位置検出部１２が検出したタッチ位置に基づき当該タッチ位置の周辺の画面を拡大した画像（例えば、図５に示す拡大表示領域１０２）をパネル部１００に表示する。
【００４０】
Ｓ２０７〜Ｓ２１２：図６におけるＳ１０６〜Ｓ１１１と同様の処理なのでその説明を省略する。
このように、本実施例では、同一のキーを連続してタッチ入力されたことを連続入力検出部１５が検出した場合、拡大表示部１４により、タッチ位置検出部１２が検出したタッチ位置に基づき当該タッチ位置の周辺の画面を拡大した画像をパネル部１００に表示するようにしたことにより、タッチ入力を繰り返して行うことを防止し、操作性を向上させることができる。
【００４１】
操作者の選択入力を受付ける複数のキーが密集し、隣接するキーと近接している場合、所望のキーとは異なる隣接したキーを誤ってタッチ入力してしまうことがあり、この誤った入力操作を修正するため、再入力操作を行うとき、一度の入力操作で修正できれば問題ないが、再入力操作を正確に行うことができず、何度も再入力操作を繰り返してしまうことがある。このようなとき、タッチ入力された位置の周辺部を拡大して操作性を改善することが望ましい。
【００４２】
複数のキーの中から択一選択するキー、例えばメニューを選択するキー等は、本来複数回連続してタッチ入力する必要はなく、連続してタッチ入力操作が行われた場合、誤ったタッチ入力による選択操作を変更しようとしたが、正確に変更できなかったと判断することができる。
このような判断に基づき、同一のキーを連続してタッチ入力されたことを連続入力検出部１５が検出した場合、拡大表示部１４により、タッチ位置検出部１２が検出したタッチ位置に基づき当該タッチ位置の周辺の画面を拡大した画像をパネル部１００に表示し、タッチ入力を繰り返して行うことを防止して操作性を向上させることができる。
【００４３】
以上説明したように、第２の実施例では、第１の実施例の効果に加え、同一のキーを連続してタッチ入力されたことを検出した場合、タッチ位置に基づき当該タッチ位置の周辺の画面を拡大した画像をパネル部に表示するようにしたことにより、タッチ入力を繰り返して行うことを防止し、操作性を向上させることができるという効果が得られる。
なお、第１の実施例および第２の実施例では、画像形成装置を複写機として説明したが、それに限られるものでなく、パネル部を備えたプリンタ、ファクシミリ装置、または複合機（ＭＦＰ）等であっても良い。
【符号の説明】
【００４４】
１    画像形成装置
２    スキャナ部
３    プリンタ部
１０    入力装置
１１  制御部
１２  タッチ位置検出部
１３  タッチ位置判定部
１４  拡大表示部
１５  連続入力検出部
１００  パネル部
【図１】
2015219662.tif 000003
【図２】
2015219662.tif 000004
【図３】
2015219662.tif 000005
【図４】
2015219662.tif 000006
【図５】
2015219662.tif 000007
【図６】
2015219662.tif 000008
【図７】
2015219662.tif 000009
【図８】
2015219662.tif 000010